(57)【要約】【課題】  シャワーヘッドを手で持って使用したり、任意の位置に位置を変更して静止させた状態で使用したりすることができるシャワーフック構造を提供すること。【解決手段】  シャワーフック構造２０を、壁パネル１２の所定部分に設けられた支軸部２５ａ，２５ｂと、支軸部２５ａ，２５ｂを中心として水平方向に回転可能に設けられた回転支持部２６と、回転支持部２６の先端に取り付けられたフック部２７と、フック部２７に着脱自在に取り付けられるシャワーヘッド２３を含むシャワー装置２１とで構成した。また、回転支持部２６の先端に上下に延びる垂直ガイド部２６ｃを設けて、フック部２７を垂直ガイド部２６ｃに沿って移動可能にした。さらに、フック部２７の先端側部分を回転可能にして向きを変更可能にした。【選択図】  図１
2007327173.tif 000002
【特許請求の範囲】
【請求項１】
浴室の壁面に取り付けられるシャワーフック構造であって、前記壁面の所定部分に設けられた支軸部と、前記支軸部を中心として水平方向に回転可能に設けられた回転支持部と、前記回転支持部の先端に設けられるとともにシャワー装置のシャワーヘッドを着脱自在に保持可能なフック部とを備えたことを特徴とするシャワーフック構造。
【請求項２】
前記壁面に沿って水平方向に延びるレール部を設けて、前記支軸部を前記レール部に沿って移動可能にした請求項１に記載のシャワーフック構造。
【請求項３】
前記回転支持部の先端部を上下方向に延びる垂直ガイド部で構成し、前記フック部を前記垂直ガイド部の上下方向に沿って移動可能にした請求項１または２に記載のシャワーフック構造。
【請求項４】
前記支軸部を上下に間隔を保って２個設けるとともに、前記２個の支軸部に前記回転支持部の一部を構成する棒状の水平部をそれぞれ回転可能に取り付け、前記２個の水平部の先端部に前記垂直ガイド部の端部をそれぞれ取り付けた請求項３に記載のシャワーフック構造。
【請求項５】
前記フック部の少なくとも前記シャワーヘッドを保持する部分を回転可能にして保持されるシャワーヘッドの向きや姿勢を変えることができるようにした請求項１ないし４のうちのいずれか一つに記載のシャワーフック構造。
【発明の詳細な説明】
【技術分野】
【０００１】
本発明は、浴室で使用されるシャワー装置におけるシャワーヘッドを保持するためのシャワーフック構造に関する。
【背景技術】
【０００２】
従来から、浴室等に設けられたシャワー装置は、シャワーホースに連結されたシャワーヘッドと、シャワーヘッドを着脱可能に保持するためのフックとで構成されている。このようなシャワー装置の中に、シャワーと別に所定の位置に移動可能になった散水ノズルを備えたものがある（特許文献１参照）。このシャワー装置では、シャワーヘッドを保持するためのフックが壁面に取り付けられており、シャワーヘッドをフックに固定した状態で使用したり、フックから取り外して手で持って操作したりすることができる。
【０００３】
また、散水ノズルは、壁面に沿って上下に延びる回転軸と回転軸の上端部から水平方向に延びる水平部とからなるアームの水平部の先端に設けられている。このため、アームを回転させることにより散水ノズルの位置を変更して散水ノズルから吐出される湯や水を浴びることができる。さらに、このシャワーヘッドが取り付けられるフックや散水ノズルの下方には、水栓も設けられている。
【特許文献１】特開２００１−３２７４２２号公報
【発明の開示】
【０００４】
しかしながら、前述したシャワー装置は、シャワーヘッドがフックに着脱自在になった部分と、壁面の上部側部分で水平方向に回転することにより位置を変更できる散水ノズルの部分と二つの散水部を備えているため、構造が複雑になりコストも高くなるという問題がある。
【０００５】
本発明は、前述した問題に対処するためになされたもので、その目的は、シャワーヘッドを手で持って使用したり、所望の位置に保持させた状態で使用したりすることができるシャワーフック構造を提供することである。
【０００６】
前述した目的を達成するため、本発明に係るシャワーフック構造の構成上の特徴は、浴室の壁面に取り付けられるシャワーフック構造であって、壁面の所定部分に設けられた支軸部と、支軸部を中心として水平方向に回転可能に設けられた回転支持部と、回転支持部の先端に設けられるとともにシャワー装置のシャワーヘッドを着脱自在に保持可能なフック部とを備えたことにある。
【０００７】
前述したように構成した本発明に係るシャワーフック構造では、シャワーヘッドが保持されるフックが、壁面に取り付けられた支軸部を中心として水平方向に回転可能に設けられた回転支持部の先端に設けられている。このため、シャワー装置の使用時には、回転支持部を回転させることによりシャワーヘッドを円弧状の軌道に沿った任意の位置に移動させることができる。この場合、回転支持部は水平方向に所定の長さを持ったもので構成し、例えば棒状体や枠状体で構成することが好ましい。
【０００８】
このため、入浴者は、従来のシャワー装置のように壁面側から散水される湯水を浴びるのではなく、真上から散水される湯水を浴びることも可能となる。また、入浴者が位置を変えても、適宜その位置に散水されるようにシャワーヘッドの位置を変更することができる。さらに、シャワーヘッドを手で持って使用する場合には、シャワーヘッドをフックから取り外すことができる。このように、本発明に係るシャワーフック構造では、一つの散水部（シャワーヘッド）だけを用いて種々の位置から散水を行えるため、安価でかつ使い勝手がよくなる。
【０００９】
本発明に係るシャワーフック構造の他の構成上の特徴は、壁面に沿って水平方向に延びるレール部を設けて、支軸部をレール部に沿って移動可能にしたことにある。これによると、シャワーヘッドの移動範囲を大幅に増加させることができるため、それに応じてシャワーヘッドから散水できる場所の面積も大きくすることができる。この場合、レール部の長さと回転支持部の長さとの積で示される面積と、回転支持部の長さを半径とした円の半分の面積との和の面積の範囲でシャワーヘッドを移動させることができる。
【００１０】
本発明に係るシャワーフック構造のさらに他の構成上の特徴は、回転支持部の先端部を上下方向に延びる垂直ガイド部で構成し、フック部を垂直ガイド部の上下方向に沿って移動可能にしたことにある。これによると、シャワーヘッドの位置を水平方向だけでなく上下方向にも変更できるため、入浴者が座った状態や立った状態であるとき、または、入浴者が大人であったり子供であったりした場合等でも、シャワーヘッドを適正な位置に移動させることができる。
【００１１】
本発明に係るシャワーフック構造のさらに他の構成上の特徴は、支軸部を上下に間隔を保って２個設けるとともに、２個の支軸部に回転支持部の一部を構成する棒状の水平部をそれぞれ回転可能に取り付け、２個の水平部の先端部に垂直ガイド部の端部をそれぞれ取り付けたことにある。これによると、シャワーフック構造の強度が強くなるため、耐久性が向上するとともに安定した状態で使用することができる。
【００１２】
本発明に係るシャワーフック構造のさらに他の構成上の特徴は、フック部の少なくともシャワーヘッドを保持する部分を回転可能にして保持されるシャワーヘッドの向きや姿勢を変えることができるようにしたことにある。これによると、フック部の位置を変えてシャワーヘッドを移動させるだけでなく、フック部を回転させてシャワーヘッドの向きや姿勢を変えることにより散水される方向等も変更することができる。
【発明を実施するための最良の形態】
【００１３】
（第１実施形態）
以下、本発明の第１実施形態を図面を用いて説明する。図１は、同実施形態に係るシャワーフック構造２０が設けられた浴室１０を示している。この浴室１０では、浴槽１１の室内側の側面側にカウンター部１３が壁パネル１２に沿って設けられている。また、壁パネル１２におけるカウンター部１３の中央部上方には、水や湯を取り出すための水栓１４が設けられている。
【００１４】
この水栓１４は左右に延びる水栓本体１５と水栓本体１５の中央下部から下方に延びる吐水管１６とで構成されており、水栓本体１５と吐水管１６との連結部１７にはシャワー装置２１が連結されている。また、水栓本体１５の両端には、吐水管１６とシャワー装置２１との給水方向を切り換えるとともに吐水管１６とシャワー装置２１の開閉操作を行うための回転式の操作レバー１５ａと、吐水管１６とシャワー装置２１から取り出す湯の温度を調節するための回転式の温度調節レバー１５ｂとが設けられている。
【００１５】
シャワー装置２１は、連結部１７を介して水栓１４に連結されたシャワーホース２２と、シャワーホース２２の先端部に連結されたシャワーヘッド２３とで構成されている。シャワーホース２２は、樹脂製のフレキシブルホースからなり連結部１７側の後端部に対してシャワーヘッド２３側の先端部を任意の位置に移動可能になっている。また、シャワーヘッド２３は、複数の吐出孔を有する吐出部を備えている。そして、壁パネル１２における水栓１４の上方には、シャワー装置２１を保持するための本発明のシャワーフック構造２０が設けられている。
【００１６】
シャワーフック構造２０は、壁パネル１２に上下に間隔を保って取り付けられた２個の支軸部２５ａ，２５ｂと、支軸部２５ａ，２５ｂに回転自在に連結された回転支持部２６と、回転支持部２６に取り付けられたフック部２７とで構成されている。回転支持部２６は、支軸部２５ａ，２５ｂの上端部および下端部にそれぞれ回転自在に連結されて水平方向に延びる棒状の水平部２６ａ，２６ｂと、水平部２６ａ，２６ｂの先端部に連結されて上下に延びる垂直ガイド部２６ｃとで構成されている。
【００１７】
フック部２７は、長さの短い棒状体で構成され、後端側部分に、上下に貫通する挿通穴（図示せず）が設けられている。そして、この挿通穴に垂直ガイド部２６ｃを挿通させて、フック部２７は垂直ガイド部２６ｃに沿って上下に移動可能になっている。また、フック部２７の挿通穴と後端部との間にはスリットが形成され、このスリットと交差するようにしてフック部２７の後端側部分に固定ねじ２７ａが設けられている。このため、この固定ねじ２７ａを緩めることによりフック部２７を垂直ガイド部２６ｃに沿って移動させることができ、固定ねじ２７ａを締めることによりフック部２７を垂直ガイド部２６ｃにおける任意の位置に固定できる。
【００１８】
また、フック部２７の先端部には、シャワーヘッド２３の下部側部分（シャワーホース２２との連結部近傍部分）と係合してシャワー装置２１を保持するシャワー保持部２７ｂが設けられている。このシャワー保持部２７ｂは、先端に幅狭の開口部が形成された上下に延びる略円筒状の係合溝で構成されている。このため、シャワー装置２１のシャワーヘッド２３を上側に位置させシャワーホース２２を下側に位置させた状態で、シャワー保持部２７ｂの上方側からシャワー保持部２７ｂ内にシャワーヘッド２３を入れることにより、シャワーヘッド２３の下部側部分をシャワー保持部２７ｂに係合させることができる。
【００１９】
さらに、フック部２７のシャワー保持部２７ｂ側部分は、後端側部分に対して軸周り方向に回転可能になっている。このため、シャワー保持部２７ｂに保持されるシャワーヘッド２３の向きや姿勢を変更することができる。このシャワー保持部２７ｂ側部分は、フック部２７の本体側部分に対して軸周り方向に回転可能な状態で連結されており、ねじ（図示せず）を締めることによりフック部２７の本体側部分に対して固定できるように構成されている。
【００２０】
この構成において、シャワー装置２１を使用しない場合には、図１に示したように、回転支持部２６を壁パネル１２側に回転して壁パネル１２に沿わせた状態にしておく。これによって、シャワーヘッド２３から下方に垂れるシャワーホース２２も壁パネル１２に沿うようになって邪魔にならなくなる。そして、入浴者がシャワー装置２１を使用する際には、回転支持部２６を回転して使用し易い適当な位置に静止させる。ついで、フック部２７を垂直ガイド部２６ｃに沿って移動して任意の位置に固定するとともに、フック部２７のシャワー保持部２７ｂ側部分を回転して、シャワーヘッド２３の吐出部を任意の方向に向ける。
【００２１】
この場合、入浴者は、カウンター部１３の手前に浴用椅子を置いて腰掛けたり、カウンター部１３に直接座ったりすることができ、そのときの体の位置や姿勢等の状態に応じて、シャワーヘッド２３の位置や向きを調整することができる。つぎに、温度調節レバー１５ｂを操作して湯の温度を適当な温度に設定するとともに、操作レバー１５ａを操作して、給水口をシャワー装置２１側に切り換える。そして、シャワーヘッド２３の吐出部から湯を吐出させ、その湯を使用して体や髪を洗う。
【００２２】
このように、本実施形態に係るシャワーフック構造２０では、シャワーヘッド２３が保持されるフック部２７が、回転支持部２６に取り付けられて水平方向に円弧を描くように回転可能になっているとともに、回転支持部２６の垂直ガイド部２６ｃに沿って上下移動可能になっている。さらに、フック部２７のシャワー保持部２７ｂ側部分が軸周り方向に回転可能になっている。このため、シャワー装置２１を使用する際には、回転支持部２６を任意の方向に回転させるとともに、フック部２７を上下に移動させることによりシャワーヘッド２３の位置を任意の位置にすることができる。さらに、フック部２７のシャワー保持部２７ｂ側部分を回転することにより、シャワーヘッド２３の吐出部を任意の方向に向けることができる。
【００２３】
このため、入浴者は、従来のシャワー装置のように壁面側から散水される湯水を浴びるのではなく、真上や種々の角度から散水される湯水を浴びることができる。また、入浴者が位置を変えても、適宜その位置に散水されるようにシャワーヘッド２３の位置を変更することができる。さらに、シャワーヘッド２３を手で持って使用する場合には、シャワーヘッド２３をフック部２７から取り外すことができる。このように、本発明に係るシャワーフック構造では、シャワーヘッド２３からなる一つの散水部だけを用いて種々の位置や方向に散水できる。また、入浴者の位置や姿勢だけでなく、入浴者が大人であったり子供であったりした場合でもシャワーヘッド２３を適正な位置に位置させることができる。
【００２４】
（第２実施形態）
図２は、本発明の第２実施形態に係るシャワーフック構造３０が設けられた浴室１０ａを示している。この浴室１０ａでは、壁パネル１２ａにおけるカウンター部１３ａの上方に、左右方向に延びる２本のレール部３１ａ，３１ｂが上下に間隔を保って設けられている。そして、レール部３１ａに支軸部３５ａがスライド移動可能に取り付けられ、レール部３１ｂに支軸部３５ｂがスライド移動可能に取り付けられている。支軸部３５ａ，３５ｂは、レール部３１ａ，３１ｂにそれぞれスライド係合するための係合部（図示せず）を備えていること以外は、前述した支軸部２５ａ，２５ｂと同じ構成になっている。
【００２５】
そして、この支軸部３５ａ，３５ｂに回転支持部３６が回転可能に連結され、回転支持部３６にフック部３７が上下に移動可能に取り付けられている。回転支持部３６は前述した回転支持部２６と同一構造に形成され、フック部３７は前述したフック部２７と同一構造に形成されている。また、浴室１０ａおよびシャワーフック構造３０を構成するそれ以外の部分の構成についても前述した第１実施形態と同一である。したがって、同一部分に同一符号を記して説明を省略する。
【００２６】
このシャワーフック構造３０によると、シャワーヘッド２３の平面視による移動範囲が、回転支持部３６の回転により移動できる円弧状の軌道範囲だけでなく、回転支持部３６がレール部３１ａ，３１ｂに沿って回転しながら移動できるすべての範囲になるため、シャワーヘッド２３の移動範囲を大幅に増加させることができる。このシャワーフック構造３０のそれ以外の作用効果については前述した第１実施形態と同様である。
【００２７】
また、本発明に係るシャワーフック構造は、前述した各実施形態に限定するものでなく、適宜、変更することができる。例えば、前述した各実施形態では、支軸部２５ａ，２５ｂ等を一対のもので構成するとともに、回転支持部２６，３６が一対の水平部２６ａ，２６ｂを含んでいるが、この支軸部および水平部は、どちらか一方だけで構成してもよい。この場合、第２実施形態では、レール部３１ａ，３１ｂもどちらか一方だけでよい。また、フック部２７，３７としては、シャワーヘッド２３を保持でき、垂直ガイド部２６ｃに沿って移動可能で所定の場所で固定できる構造になっていればどのような構造のものでも使用することができる。さらに、前述した各実施形態では、水平部２６ａ，２６ｂを単なる棒状に構成したが、水平部２６ａ，２６ｂの長さを伸縮自在とし、支軸部２５，２６からのフック部２７，３７の距離を調整できるように構成してもよい。
【図面の簡単な説明】
【００２８】
【図１】本発明の第１実施形態に係るシャワーフック構造を備えた浴室を示す斜視図である。
【図２】本発明の第２実施形態に係るシャワーフック構造を備えた浴室を示す斜視図である。
【符号の説明】
【００２９】
１０，１０ａ…浴室、１２ａ，１２…壁パネル、２０，３０…シャワーフック構造、２１…シャワー装置、２３…シャワーヘッド、２５ａ，２５ｂ，３５ａ，３５ｂ…支軸部、２６，３６…回転支持部、２６ｃ…垂直ガイド部、２７，３７…フック部、３１ａ，３１ｂ…レール部。
【図１】
2007327173.tif 000003
【図２】
2007327173.tif 000004